(57)【要約】【課題】温度センサを確実に保護し、良品質の空気調和機室外ユニットを提供する。【解決手段】温度センサを固定する温度センサ固定装置を備え、温度センサ固定装置を、第一平板と、第一平板の一端に略垂直に設置される第二平板と、第一平板上の第二平板に対向する端部に設置すると共に第二平板と略並行な係止部と、第一平板の第二平板１７および係止部を有する面の裏面に温度センサ固定溝を有する温度センサ固定部を一体に形成し、温度センサの感熱部近傍の電線を温度センサ固定溝に挿入した後、熱交換器の上端面よりフィンの間に、第二平板が熱交換器のフィンの風上側に近接しかつ係止部が熱交換器の冷媒配管の風下側に近接するように差し込み、感熱部を、熱交換器と外箱天板との間に設置し、外箱天板の下端よりも上に収納した。【選択図】図１
2010261611.tif 000002
【特許請求の範囲】
【請求項１】
フィンを有する熱交換器と、前記熱交換器に取り付けられると共に温度センサが固定される温度センサ固定装置を備え、前記温度センサ固定装置を、第一平板と、前記第一平板の一端に略垂直に設置される第二平板と、前記第一平板上の前記第二平板に対向する端部に設置されると共に前記第二平板と略並行となる係止部と、前記第一平板の前記第二平板および前記係止部を有する面の裏面に温度センサ固定溝を有する温度センサ固定部を一体に形成し、前記温度センサの感熱部近傍の電線を前記温度センサ固定溝に挿入した後、前記熱交換器の上端面より前記フィンの間に、前記第二平板が前記熱交換器のフィンの風上側に近接しかつ前記係止部が前記熱交換器の冷媒配管の風下側に近接するように差し込み、前記感熱部を、前記熱交換器と室外ユニットの天面を形成する外箱天板との間に設置し、かつ前記外箱天板の下端よりも上に収納した空気調和機の室外ユニット。
【請求項２】
温度センサ固定装置を、温度センサの感熱部の外箱天板側に遮蔽板を設置して構成した請求項１に記載の空気調和機の室外ユニット。
【請求項３】
温度センサ固定装置を、温度センサの感熱部が熱交換器の風上側端面より外側に位置するように設置した請求項１または請求項２に記載の空気調和機の室外ユニット。
【請求項４】
外箱天板の温度センサの感熱部近傍を外側に突出させた突出部を設けた請求項３に記載の空気調和機の室外ユニット。
【請求項５】
外箱天板の側面の温度センサの感熱部近傍に開口部を設けた請求項１〜４のいずれか一項に記載の空気調和機の室外ユニット。
【発明の詳細な説明】
【技術分野】
【０００１】
本発明は、空気調和機の室外ユニットに関するもので、詳しくは室外ユニットに取り付けられる温度センサ固定装置に関するものである。
【背景技術】
【０００２】
従来、この種の空気調和機の室外ユニットの温度センサ固定装置には、温度センサの感熱部を収納するための箱部と、箱部の底面に設けた温度センサの感熱部を固定する温度センサ固定部および箱部の開口面の一辺に突出する係止部を樹脂材料にて一体に形成して構成されているものがあった（例えば、特許文献１参照）。
【０００３】
図７は、上記特許文献１に記載された従来の空気調和機の室外ユニットの温度センサ固定装置近傍の一部を省略した断面図、図８は、同温度センサ固定装置の斜視図である。
【０００４】
図７および図８に示すように、従来の空気調和機の室外ユニットの温度センサ固定装置１は、連通孔２と開口面３を有する箱部４と、箱部４の底面５に設けられ温度センサ固定溝６を有する温度センサ固定部７および箱部４の開口面３の一辺に突出する係止部８を一体に形成して構成されており、温度センサ９の感熱部１０近傍の電線１１を温度センサ固定溝６に挿入した後、熱交換器１２の上端面よりフィン１３の間に、箱部４の開口面３が熱交換器１２のフィン１３の風上側に近接しかつ係止部８の先端が熱交換器１２の冷媒配管１４の風下側に近接するように差し込み、室外ユニットの天面を形成する外箱天板１５で押さえて使用される。
【先行技術文献】
【特許文献】
【０００５】
【特許文献１】特開２００８−１２１９４８号公報
【発明の概要】
【発明が解決しようとする課題】
【０００６】
しかしながら、前記従来の空気調和機の室外ユニットの構成では、温度センサ固定装置１は、外箱天板１５より突出して熱交換器１２の外側に露出しているため、輸送、および設置作業など取り扱いにより変形、破損等の不良が発生し易いという課題を有していた。
【０００７】
本発明は、前記従来の課題を解決するもので、簡単な構造で、温度センサを確実に保護できる空気調和機の室外ユニットを提供することを目的とする。
【課題を解決するための手段】
【０００８】
前記従来の課題を解決するために、本発明の空気調和機の室外ユニットは、フィンを有する熱交換器と、前記熱交換器に取り付けられると共に温度センサが固定される温度センサ固定装置を備え、前記温度センサ固定装置を、第一平板と、前記第一平板の一端に略垂直に設置される第二平板と、前記第一平板上の前記第二平板に対向する端部に設置されると共に前記第二平板と略並行となる係止部と、前記第一平板の前記第二平板および前記係止部を有する面の裏面に温度センサ固定溝を有する温度センサ固定部を一体に形成し、前記温度センサの感熱部近傍の電線を前記温度センサ固定溝に挿入した後、前記熱交換器の上端面より前記フィンの間に、前記第二平板が前記熱交換器のフィンの風上側に近接しかつ前記係止部が前記熱交換器の冷媒配管の風下側に近接するように差し込み、前記感熱部を、前記熱交換器と室外ユニットの天面を形成する外箱天板との間に設置し、かつ前記外箱天板の下端よりも上に収納したもので、空気温度を感知する機能を損なわずに簡単な構
造で温度センサを保護し、信頼性の高い空気調和機の室外ユニットを提供することができる。
【発明の効果】
【０００９】
本発明の空気調和機の温度センサ固定装置は、簡単な構造で温度センサを保護することができ、より品質のよい空気調和機をユーザーに安価に提供することができる。
【図面の簡単な説明】
【００１０】
【図１】本発明の実施の形態１における空気調和機の室外ユニットの温度センサ固定装置近傍の一部を省略した断面図
【図２】同温度センサ固定装置近傍の斜視図
【図３】本発明の実施の形態２における空気調和機の室外ユニットの温度センサ固定装置近傍の一部を省略した断面図
【図４】本発明の実施の形態３における空気調和機の室外ユニットの温度センサ固定装置近傍の一部を省略した断面図
【図５】本発明の実施の形態４における空気調和機の室外ユニットの温度センサ固定装置近傍の一部を省略した断面図
【図６】本発明の実施の形態５における空気調和機の室外ユニットの温度センサ固定装置近傍の一部を省略した断面図
【図７】従来の空気調和機の室外ユニットの温度センサ固定装置近傍の一部を省略した断面図
【図８】同温度センサ固定装置近傍の斜視図
【発明を実施するための形態】
【００１１】
第１の発明は、フィンを有する熱交換器と、前記熱交換器に取り付けられると共に温度センサが固定される温度センサ固定装置を備え、前記温度センサ固定装置を、第一平板と、前記第一平板の一端に略垂直に設置される第二平板と、前記第一平板上の前記第二平板に対向する端部に設置されると共に前記第二平板と略並行となる係止部と、前記第一平板の前記第二平板および前記係止部を有する面の裏面に温度センサ固定溝を有する温度センサ固定部を一体に形成し、前記温度センサの感熱部近傍の電線を前記温度センサ固定溝に挿入した後、前記熱交換器の上端面より前記フィンの間に、前記第二平板が前記熱交換器のフィンの風上側に近接しかつ前記係止部が前記熱交換器の冷媒配管の風下側に近接するように差し込み、前記感熱部を、前記熱交換器と室外ユニットの天面を形成する外箱天板との間に設置し、かつ前記外箱天板の下端よりも上に収納したもので、空気温度を感知する機能を損なわずに簡単な構造で温度センサを保護し、信頼性の高い空気調和機の室外ユニットを提供することができる。
【００１２】
第２の発明は、特に、第１の発明の温度センサ固定装置を、温度センサの感熱部の外箱天板側に遮蔽板を設置して構成したもので、外箱天板からの輻射の影響を排除して温度誤検知を防止することができる。
【００１３】
第３の発明は、特に、第１または第２の発明の温度センサ固定装置を、温度センサの感熱部が熱交換器の風上側端面より外側に位置するように設置したもので、熱交換器の温度の影響を軽減して温度誤検知を防止することができる。
【００１４】
第４の発明は、特に、第３の発明の外箱天板の温度センサの感熱部近傍を外側に突出させた突出部を設けたもので、より熱交換器の温度の影響を軽減しかつ確実に温度センサの感熱部に空気を導入し温度誤検知を防止することができる。
【００１５】
第５の発明は、特に、第１〜４のいずれか１つの発明の外箱天板の側面の温度センサの感熱部近傍に開口部を設けたもので、より確実に温度センサの感熱部に空気を導入し温度誤検知を防止することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室外ユニットの温度センサ固定装置近傍の一部を省略した断面図、図２は、同温度センサ固定装置近傍の斜視図である。尚、上記従来の空気調和機の室外ユニットと同一構成部品については同じ符号を用い、説明を省略する。
【００１８】
図１、図２において、本実施の形態における空気調和機の室外ユニットの温度センサ固定装置１は、第一平板１６と、前記第一平板１６の一端に略垂直に設置される第二平板１７と、前記第一平板１６上の前記第二平板１７に対向する端部に設置される前記第二平板１７と略並行となる係止部１８と、前記第一平板１６の前記第二平板１７および前記係止部１８を有する面の裏面に、温度センサ固定溝１９を有する温度センサ固定部２０が一体に形成されている。
そして、温度センサ９の感熱部１０近傍の電線１１を、前記温度センサ固定溝１９に挿入した後、熱交換器１２の上端面よりフィン１３の間に、前記第二平板１７が前記熱交換器１２のフィン１３の風上側に近接しかつ前記係止部１８が前記熱交換器１２の冷媒配管１４の風下側に近接するように差し込み、前記温度センサ９の感熱部１０を、前記熱交換器１２と外箱天板１５の間に設置しかつ前記外箱天板１５の下端よりも上に収納して構成されている。
【００１９】
以上のように構成された本実施の形態における空気調和機の室外ユニットについて、以下その動作、作用を説明する。
【００２０】
空気調和機の室外ユニットに内蔵された送風装置（図示せず）により、室外ユニットの周囲の空気は、熱交換器１２を通過して室外ユニットの内部に取り込まれるが、空気２１の一部は、熱交換器１２と外箱天板１５の間を通り、熱交換器１２と外箱天板１５の間に設置された温度センサ９の感熱部１０近傍を通過しての室外ユニットの内部に取り込まれる。
【００２１】
このとき取り込まれた空気は、第二平板１７および第一平板１６により前記熱交換器１２のフィン１３にほとんど接触せずに前記温度センサ９の感熱部１０近傍に達するため、前記温度センサ９は、前記熱交換器１２の温度の影響を受けずに室外ユニット周囲の空気温度を検知することができる。また、温度センサ固定装置１は、前記外箱天板１５の下端１５ａよりも上に収納されているため、前記室外ユニットの外部に露出することが無く、輸送、および設置作業など取り扱いによる変形、破損等の不良から確実に保護することができる。
【００２２】
以上のように、本実施の形態においては、空気調和機の室外ユニットの温度センサ固定装置１を、第一平板１６と、第一平板１６の一端に略垂直に設置される第二平板１７と、第一平板１６上の第二平板１７に対向する端部に設置され第二平板１７と略並行となる係止部１８と、第一平板１６の第二平板１７および係止部１８を有する面の裏面に温度センサ固定溝１９を有する温度センサ固定部２０を一体に形成し、温度センサ９の感熱部１０近傍の電線１１を、温度センサ固定溝１９に挿入した後、熱交換器１２の上端面よりフィ
ン１３の間に、第二平板１７が熱交換器１２のフィン１３の風上側に近接しかつ係止部１８が熱交換器１２の冷媒配管１４の風下側に近接するように差し込み、温度センサ９の感熱部１０を、熱交換器１２と外箱天板１５の間に設置しかつ、外箱天板１５の下端よりも上に収納して構成することにより、空気温度を感知する機能を損なわずに、簡単な構造で温度センサ９を保護し、信頼性の高い空気調和機の室外ユニットを提供することができる。
【００２３】
（実施の形態２）
図３は、本発明の第２の実施の形態における空気調和機の室外ユニットの温度センサ固定装置近傍の一部を省略した断面図である。尚、上記実施の形態１における空気調和機の室外ユニットと同一部分については、同一符号を付して、その説明を省略する。
【００２４】
本実施の形態における空気調和機の室外ユニットは、図３に示すように、温度センサ固定装置１の温度センサ９の感熱部１０の外箱天板１５側に遮蔽板２２を設けたものである。
【００２５】
以上のように構成された空気調和機の室外ユニットにおいては、日光や寒風などで外箱天板１５の温度が変化した場合でも、遮蔽板２２により温度センサ９の感熱部１０への外箱天板１５からの輻射の影響を排除することができる。
以上のように、本実施の形態においては、空気調和機の室外ユニットを、温度センサ固定装置１の温度センサ９の感熱部１０の上方に遮蔽板２２を設置して構成することにより、外箱天板１５からの輻射の影響を排除して温度誤検知を防止することができる。
【００２６】
（実施の形態３）
図４は、本発明の第３の実施の形態における空気調和機の室外ユニットの温度センサ固定装置近傍の一部を省略した断面図である。尚、上記実施の形態における空気調和機の室外ユニットと同一部分については、同一符号を付して、その説明を省略する。
【００２７】
本実施の形態における空気調和機の室外ユニットは、図４に示すように、温度センサ固定装置１を、温度センサ９の感熱部１０が、熱交換器１２の風上側端面より外側に位置するように、設置したものである。
【００２８】
以上のように構成された本実施の形態における空気調和機の室外ユニットにおいては、熱交換器１２の温度が変化した場合にも温度センサ９の感熱部１０への影響を軽減することができる。
【００２９】
以上のように、本実施の形態では、空気調和機の室外ユニットを、温度センサ固定装置１の温度センサ９の感熱部１０を熱交換器１２の外側端面より外側に設置して構成することにより、熱交換器１２の温度の影響を軽減して温度誤検知を防止することができる。
【００３０】
（実施の形態４）
図５は、本発明の第４の実施の形態における空気調和機の室外ユニットの温度センサ固定装置近傍の一部を省略した断面図である。尚、上記実施の形態における空気調和機の室外ユニットと同一部分については、同一符号を付して、その説明を省略する。
【００３１】
本実施の形態における空気調和機の室外ユニットは、図５に示すように、外箱天板１５の温度センサ９の感熱部１０近傍を外側に突出させた突出部２３を設けて構成されている。
【００３２】
以上のように構成された本実施の形態における空気調和機の室外ユニットにおいては、外箱天板１５と熱交換器１２の隙間が拡大され外気の取り込みが容易になり、より正確に温度を検知できるようになる。
【００３３】
以上のように、本実施の形態においては、空気調和機の室外ユニットを、外箱天板１５の温度センサ９の感熱部１０近傍を外側に突出させた突出部２３を設けて構成することにより、より熱交換器１２の温度の影響を軽減しかつ確実に温度センサ９の感熱部１０に空気を導入し温度誤検知を防止することができる。
【００３４】
（実施の形態５）
図６は、本発明の第５の実施の形態における空気調和機の室外ユニットの温度センサ固定装置近傍の一部を省略した断面図である。尚、上記実施の形態における空気調和機の室外ユニットと同一部分については、同一符号を付して、その説明を省略する。
【００３５】
本実施の形態における空気調和機の室外ユニットは、図６に示すように、外箱天板１５の側面の温度センサ９の感熱部１０の近傍に開口部２４を設けて構成されている。
【００３６】
以上のように構成された本実施の形態における空気調和機の室外ユニットにおいては、外箱天板１５と熱交換器１２の隙間からの空気の取り込みに加えて開口部２４からの空気の取り込みによりさらに正確に温度を検知できるようになる。
以上のように、本実施の形態においては、外箱天板１５の温度センサ９の感熱部１０の近傍に開口部２４を設けることにより、より確実に温度センサ９の感熱部１０に空気を導入し温度誤検知を防止することができる。
【産業上の利用可能性】
【００３７】
以上のように、本発明にかかる空気調和機の室外ユニットの温度センサ固定装置は、簡単な構造で温度センサを保護することが可能となるので、熱交換器を有し温度を検知して運転制御を行う給湯器の室外ユニット等の用途にも適用できる。
【符号の説明】
【００３８】
１  温度センサ固定装置
９  温度センサ
１０  感熱部
１２  熱交換器
１３  フィン
１４  冷媒配管
１５  外箱天板
１５ａ  下端
１６  第一平板
１７  第二平板
１８  係止部
１９  温度センサ固定溝
２０  温度センサ固定部
２１  遮蔽板
２３  突出部
２４  開口部
【図１】
2010261611.tif 000003
【図２】
2010261611.tif 000004
【図３】
2010261611.tif 000005
【図４】
2010261611.tif 000006
【図５】
2010261611.tif 000007
【図６】
2010261611.tif 000008
【図７】
2010261611.tif 000009
【図８】
2010261611.tif 000010